(57)【要約】【課題】  宅配ボックス専用品を用いることにより、宅配品をボックスに入れたりボックスから取り出したりする作業を容易にし、かつ、誰でもが容易に操作できるようにした宅配用ボックスの開閉機構の提供。【解決手段】  蓋に取り付けられる第１のプレートと、ボックスに取り付けられる第２のプレートと、第１のプレートにアームを介して回動可能に接続されるロックファスナーと、から構成し、ロックファスナーに、第１のプレートに所定の操作により噛み合わせ可能あるいは取り外し可能なフックを有するレバーと、第２のプレートに所定の操作により噛み合わせ可能あるいは取り外し可能なシャフトと、を備える構成とした。【選択図】    図４
2007230292.tif 000002
【特許請求の範囲】
【請求項１】
宅配用のボックスと該ボックスに蝶番等で接続される蓋を開閉させるための宅配用ボックスの開閉機構において、
前記蓋に取り付けられる第１のプレートと、
前記ボックスに取り付けられる第２のプレートと、
前記第１のプレートにアームを介して回動可能に接続されるロックファスナーと、
から構成され、
前記ロックファスナーは、
前記第１のプレートに所定の操作により噛み合わせ可能あるいは取り外し可能なフックを有するレバーと、前記第２のプレートに所定の操作により噛み合わせ可能あるいは取り外し可能なシャフトと、を備えたことを特徴とする宅配用ボックスの開閉機構。
【発明の詳細な説明】
【技術分野】
【０００１】
本発明は、三輪原動機付自転車の後部荷台に置く宅配用ボックスの開閉機構に関し、特に、宅配品を出し入れする開口部に蝶番等でボックスに接続された開閉用の蓋の閉鎖時、蓋をボックスに固定する宅配用ボックスの開閉機構に関する。
【背景技術】
【０００２】
最近、外食が普及してきており、例えば、ピザ、寿司、中華料理あるいはイタリア料理等等の食料品・調理品の配達のための業務用として三輪原動機付自転車が用いられている。この宅配用の三輪原動機付自転車は、１つの前輪と２つの後輪からなる構造であって、２つの後輪の間に荷台を設け、この荷台の上に宅配品を収納する保温等を兼ねた密閉型の宅配用ボックスを固定する構成であり、この宅配用ボックスに宅配品を収納して注文先まで迅速に配達される。
【０００３】
ところで、この荷台に固定される宅配用ボックスには、宅配中の振動等で宅配品がボックスから飛び出ないようにするために、ボックスへの出し入れ口に蓋がついており、この蓋はパンチ止め金具等でボックスに固定され、この金具等を操作することによりボックスがロックされ開放されるようになっている。
【０００４】
このような宅配用ボックスの開閉機構の一般例として、特許文献１の段落００２２に示すように、蓋体の後面下部に係止部材を設け、下箱の後面の上部に被係止部材を設け、これら係止部材と被係止部材でロックし、開放する宅配用ボックスの開閉機構がある。
【０００５】
【特許文献１】特開平９−２０２７６号公報
【発明の開示】
【発明が解決しようとする課題】
【０００６】
しかしながら、従来の宅配用ボックスの開閉機構によれば、以下のような問題があった。
（１）通常、宅配品をボックス内に収納したり、ボックスから取り出したりする際には、宅配品を片手に持ったままボックスの蓋の開閉操作できるのが望ましいが、このロック機構に、いわゆる汎用品を用いているため、その収納・取り出し操作が面倒になるという問題があった。
（２）このような三輪原動機付自転車を運転する宅配品の運転者は、ほとんどがその操作に慣れていない学生やフリーター等の時間アルバイトであるため、その操作等について予め憶えさ訓練させなければならないなど、手数がかかるという問題があった。
【０００７】
従って、本発明の目的は、宅配ボックス専用品を用いることにより、宅配品をボックスに入れたりボックスから取り出したりする作業を容易にし、かつ、誰でもが容易に操作できるようにした宅配用ボックスの開閉機構を提供することにある。
【課題を解決するための手段】
【０００８】
本発明は、上記の目的を達成するために、宅配用のボックスと該ボックスに蝶番等で接続される蓋を開閉させるための宅配用ボックスの開閉機構において、前記蓋に取り付けられる第１のプレートと、前記ボックスに取り付けられる第２のプレートと、前記第１のプレートにアームを介して回動可能に接続されるロックファスナーと、から構成され、前記ロックファスナーは、前記第１のプレートに所定の操作により噛み合わせ可能あるいは取り外し可能なフックを有するレバーと、前記第２のプレートに所定の操作により噛み合わせ可能あるいは取り外し可能なシャフトと、を備えたことを特徴とする宅配用ボックスの開閉機構を提供するものである。
【発明の効果】
【０００９】
以上説明したとおり、本発明の宅配用ボックスの開閉機構によれば、宅配用のボックスと該ボックスに蝶番等で接続される蓋を開閉させるための宅配用ボックスの開閉機構において、前記蓋に取り付けられる第１のプレートと、前記ボックスに取り付けられる第２のプレートと、前記第１のプレートにアームを介して回動可能に接続されるロックファスナーと、から構成され、前記ロックファスナーは、前記第１のプレートに所定の操作により噛み合わせ可能あるいは取り外し可能なフックを有するレバーと、前記第２のプレートに所定の操作により噛み合わせ可能あるいは取り外し可能なシャフトと、を備える構成としたため、宅配品を持ったまま片手でボックスのフタの開閉操作ができる。このため、宅配品をボックスに入れる作業が楽になった。また、熟練を要しない操作であるので大きい効果をあげることができる。
【発明を実施するための最良の形態】
【００１０】
以下、添付図面を参照しながら、本発明の実施の形態に係る宅配用ボックスの開閉機構を詳細に説明する。
図１は、本発明の実施の形態に係る宅配用ボックスの開閉機構が適用される宅配用ボックスの外観を示す図である。
【００１１】
図に示すように、この宅配用ボックスは、ボックス本体１１と、このボックス１１本体に蝶番等で開閉可能に接続される蓋１２と、このボックス１１と蓋１２のロックおよび開放を行うためのロックファスナー本体１とからなる。なお、図では、蓋１２が閉まってロックファスナー本体１が蓋１２をボックス１１にロックしている状態を示している。
【００１２】
図において、符号５はロックファスナー本体１のカバーであり、符号６は後述するように蓋１１の開放時にロックファスナー本体１のロックを解除するレバーであり、符号８は後述するアームプレート３に接続されるアームシャフトであり、符号９は後述するキャッチャープレート４に噛み合わせるためのキャッチャーシャフトであり、符号１０はロックファスナー本体１をロックした後にロックを固定するための鍵部である。なお、アームシャフト８は、アームプレート３に回動可能に接続されている。
【００１３】
図２は、ロックファスナー本体１がロック状態にあるときのロックファスナー本体１の断面図である。
図に示すように、ボックス１１の壁面には、蓋１２を閉めた時にロックファスナー本体１のキャッチャーシャフト９を噛み合わせるための爪（図面では下向きに形成されている）を有するキャッチャープレート４が取り付けられている。また、蓋１２の壁面には、レバー６を噛み合わせるための爪（図面では上向きに形成されている）を有するベースプレート２が取り付けられている。
【００１４】
レバー６は、金属製の帯状部材からなり、その先端が鍵状に折り曲げられてフック７になっており、後端はL字状に折り曲げられている。フック７は、ベースプレート２の爪と噛み合ってロックファスナー本体１が蓋１２に固定される。このレバー６の直線部分は、鍵部１０内を挿通しており、鍵（図示せず）の施錠によりその動きがロックされる。
【００１５】
図３は、レバー６の先端のフック７がベースプレート２の爪から離れた状態を示す図である。
図に示すように、図２の状態で鍵部１０の鍵を開錠し、レバー６がロックファスナー本体１内に押し込まれると、先端のフック７がベースプレート２の爪から離れる。
【００１６】
図４は、本発明の実施の形態に係る宅配用ボックスの開閉機構の開閉動作を説明するための図である。以下、図１〜図３を参照しながら図４に基づいてその動作を説明する。まず、ボックス本体１１にロックされた蓋１２のロックを外し蓋１２を開ける動作を説明し、次に、開けられた蓋１２をボックスにロックする動作を説明する。
【００１７】
＜蓋１２のロックを外し蓋１２を開ける動作＞
ボックス本体１１にロックされた蓋１２（図２の状態）を開ける場合には、まず、親指でレバー６をロックファスナー本体１の中に押し込み、レバー６のフック７をベースプレート２の爪から外す（図３の状態）。
【００１８】
次に、親指でレバー６を押し込んだまま、人差指でカバー５の上部をつかみ、キャッチャーシャフト９を中心点にしてカバー５を蓋１２から起こす。
【００１９】
カバー５を蓋１２から起こすと、ベースプレート２とカバー５がアームプレート３とアームシャフト８によって回動可能に接続されているので、カバー５を起こしたまま下にずらし、そのままカバー５を下げる。これにより、キャッチャーシャフト９がキャッチャープレート４から外れ、ロックが外れる。
【００２０】
外れたら、そのまま親指でレバー６を押しつつ人差指でカバー５の上部を持ったまま持ち上げる。カバー５は、アームシャフト８とアームプレート３を介してベースプレート２と可動接続しているので、ロックファスナー本体１が取っ手となり、ロックを解除した指そのままで蓋１２を持ち上げ開かれる。このため、その状態で他の手にある宅配品をボックスの中に入れることができる。
【００２１】
＜蓋１２をボックスにロックする動作＞
開いた蓋１２をボックス本体１１にロックするには、まず、人差指をカバー５の上部に置き、親指をレバー６に配してレバー６をロックファスナー本体１内に押し込んだ状態でカバー５を持ち、ボックス本体１１のキャッチャープレート４にキャッチャーシャフト９を噛み合わせる。
【００２２】
キャッチャープレート４とキャッチャーシャフト９を噛み合わせたら、次に、人差指でカバー５の上部を蓋１２に押し付ける（図３の状態）。次に、レバー６を下に引いてフック７を蓋１２に取り付けられたベースプレート２の爪に噛み合わせロックする（図２の状態）。
【００２３】
噛み合わせてロックすると、蓋１２がボックス本体１１に固定され、ロックファスナー本体１が両方に固定される。必要に応じて鍵部１０を通して鍵をかけるとレバー６が固定される。
【００２４】
＜まとめ＞
このように、片手による操作でボックスの蓋の開閉操作ができるので、片手でボックスを開けて他の片手に持った宅配品をボックスに収納しロックしたり、収納された宅配品をボックスから取り出す際に片手でロックを外し他の片手で宅配品をボックスから取り出したりする作業が容易となる。また、このような開閉操作なので特別な技能を必要とすることなく誰でもが容易に操作できるというメリットもある。
【図面の簡単な説明】
【００２５】
【図１】本発明の実施の形態に係る宅配用ボックスの開閉機構が適用される宅配用ボックスの外観を示す図である。
【図２】ロックファスナー本体がロック状態にあるときのロックファスナー本体の断面図である。
【図３】レバーの先端のフックがベースプレートの爪から離れた状態を示す図である。ロックファスナー断面２。
【図４】本発明の実施の形態に係る宅配用ボックスの開閉機構の開閉動作を説明するための図である。
【符号の説明】
【００２６】
１    ロックファスナー本体
２    ベースプレート
３    アームプレート
４    キャッチャープレート
５    カバー
６    レバー
７    フック
８    アームシャフト
９    キャッチャーシャフト
１０  鍵部
１１  ボックス
１２  フタ
【図１】
2007230292.tif 000003
【図２】
2007230292.tif 000004
【図３】
2007230292.tif 000005
【図４】
2007230292.tif 000006